(57)【要約】      （修正有）【課題】製作時の加工条件の設定が容易で、低コスト及び高強度で剥がれにくく、かつペンの不使用時には邪魔にならないペンホルダー部が設けられた表紙部材を提供する。【解決手段】表紙部材１０は基体部１１の内面の左右両側にそれぞれ支持片１２ａ，１２ｂが設けられ、支持片１２ａにはスリット１５が形成されて紙片状体を収納しておくことができ、支持片１２ｂには樹脂シートが積層溶着されて紙片状体収納部１６を形成している。また、外縁部にはペンホルダー部１３が溶着されている。ペンホルダー部１３の溶着部分はテーパーが形成され、各頂点１４ａ〜１４ｄが重ならないように溶着されている。【選択図】図１
0003170275.tif 000002
【実用新案登録請求の範囲】
【請求項１】
樹脂シートからなる基体部と、
前記基体部の外縁部に、帯状の樹脂シートが折り畳まれて端部が前記外縁部に固着されたペンホルダー部を備え、前記ペンホルダー部の折り畳まれて固着された端部の各頂点が重なっていないこと、
を特徴とする表紙部材。
【請求項２】
請求項１に記載の表紙部材において、
前記ペンホルダー部は、前記帯状の樹脂シートの固着される端部がテーパー状に形成されていることを特徴とする表紙部材。
【考案の詳細な説明】
【技術分野】
【０００１】
本考案は、ペンを保持可能としたペンホルダー部を備えた手帳カバーや家計簿カバー、ノートカバー、冊子の表紙等の表紙部材に関するものである。
【背景技術】
【０００２】
従来より、数多くの手帳カバー等の表紙部材が知られているが、例えば、手帳カバーは、手帳表面を保護し、手帳の小口等の汚れ防止という本来の機能の他に、手帳に不可欠なペン（筆記具）や各種の携帯品を装着、収納できるようにしたものが多く見られる。
手帳カバーにおいて、キャッシュカードや名刺等を収納できるカード収納部や、ペンホルダー部を設けたものが知られている。カード収納部としては、例えばシートを重ねてカードの表面領域よりやや大きな領域を有するようにして開口部を設けたものや、基材に切り込みを設けてカードを差すことができるようにしたものが知られている。
【０００３】
図４は、従来の表紙部材の一例として、手帳カバーにおいてペンホルダー部を設けたものを示す図であり、（ａ）は平面図、（ｂ）は断面模式図を示す。
図４において、樹脂シートからなる基体部１の両側に、手帳の両側平部をそれぞれ支持する支持片２を積層し、さらにキャッシュカードや名刺等を収納できるカード収納部片４を積層し、基体部１と支持片２、カード収納部片４との３辺外縁部を溶着している。さらに、図中、右側外縁部には、ペンホルダー部３が設けられている。このペンホルダー部３は、帯状の樹脂シートをリング状にしてその両端縁を支持片２の外縁部に重ねて溶着したものであり、このリング状の部分内にペンを通すことで手帳カバーにペンを差すことができる。
【考案の概要】
【考案が解決しようとする課題】
【０００４】
しかし、図４のような従来の手帳カバー等の表紙部材において、手帳等を使用する場合の多くはペンが必要になるので、ペンホルダー部３を有さない手帳カバーであるときは、手帳の表紙等に直接ペンを差さなければならず、携帯時にペンが脱落しやすいという問題があった。
【０００５】
一方、ペンホルダー部３を設けた手帳カバーの場合は、基体部１に支持片２を積層し、支持片２の３辺外縁部を溶着するときは、基体部１と支持片２、カード収納部片４との３枚の樹脂シートを溶着することになるが、図４に示す例のようにペンホルダー部３をさらに溶着するときは、ペンホルダー部３の両端縁（２枚重ねた部分）がさらに基体部１と支持片２、カード収納部片４の上に積層されるので、この部分では、樹脂シートが５枚重ねられることになる。つまり、図４のペンホルダー部３の形状の場合、図４（ｂ）の断面模式図のように、３枚の樹脂シートから５枚の樹脂シートへと急激に厚みが増すことになる。
【０００６】
溶着工程では、図４（ｂ）のカード収納部片４と、ペンホルダー部３の両端縁との交点５の部分の溶着の加工条件の設定が非常に困難となる。つまり、５枚の樹脂シートが確実に溶着され、さらに、交点５の部分は引張り応力が頻繁にかかる部分であるため、十分な強度を確保する必要がある。
【０００７】
例えば、基体部１と支持片２、カード収納部片４との３枚を溶着する場合を基準にして溶着を行うと、ペンホルダー部３の５枚の樹脂シートを重ねた部分では、溶着強度が不十分になり、手帳カバーの使用中にペンホルダー部３が手帳カバーからとれてしまう場合があるという問題があった。
【０００８】
逆に、ペンホルダー部３を十分に溶着できるように５枚の樹脂シートを溶着する場合を基準にして溶着を行うと、ペンホルダー部３のない部分、すなわち基体部１と支持片２、カード収納部片４との樹脂シートが３枚重なる部分では、加工効果が過度に作用し、支持片２や基体部１が過度に融解してしまう場合があるという問題があった。このため、ペンホルダー部３を溶着で手帳カバーに設ける場合は、溶着時の加工条件の設定等が非常に困難であるという問題があった。
【０００９】
また、図４のような従来の手帳カバーに設けられたペンホルダー部では、基体部１の外縁部とペンホルダー部３が直角に溶着されているため、ねじれ等の引張り応力が集中しやすく、場合によっては剥がれてしまうため、樹脂シートの厚さを厚くしたり、強度の強いシート材を使用する必要があった。
【００１０】
本考案は上記を鑑みてなされたものであって、製作時の加工条件の設定が容易で、低コスト及び高強度で剥がれにくく、かつペンの不使用時には邪魔にならないペンホルダー部が設けられた表紙部材を提供することである。
【課題を解決するための手段】
【００１１】
本考案は、上記課題を達成したものであり、請求項１の表紙部材の考案は、樹脂シートからなる基体部と、前記基体部の外縁部に、帯状の樹脂シートが折り畳まれて端部が前記外縁部に固着されたペンホルダー部を備え、前記ペンホルダー部の折り畳まれて固着された端部の各頂点が重なっていないことを特徴としている。
【００１２】
また、請求項２の考案は、請求項１に記載の表紙部材において、前記ペンホルダー部は、前記帯状の樹脂シートの固着される端部がテーパー状に形成されていることを特徴としている。
【考案の効果】
【００１３】
請求項１の考案では、本考案の表紙部材は、ペンホルダー部の固着された頂点部分が重ならないので、図４のような従来のペンホルダー部での溶着のように、重ねられた頂点部分のみの厚さが急激に厚くなって溶着時の加工条件の設定等が非常に困難になるようなことが無く、品質の維持も非常に容易となる利点がある。
【００１４】
さらに、ペンホルダー部の不使用時にはペンホルダー部が平坦に折り曲げられているので、ペンホルダー部が邪魔になることがない。
【００１５】
また、請求項２の考案では、ペンホルダー部の固着される端部がテーパー状となっているので、ペンホルダー部が引張られても、端部が外縁部と直角に固着される場合よりも固着端部分に引張り応力が集中しにくい形状となっているため剥がれにくいという利点がある。そのため、基体部とペンホルダー部が直角に溶着されている場合に比べ、樹脂シートの厚さを薄くすることができたり、強度の強いシート材を使用する必要が無くなるので、製作コストを削減することができる。
【図面の簡単な説明】
【００１６】
【図１】本考案の表紙部材の実施形態の一例を示す平面図である。
【図２】本考案の表紙部材のペンホルダー部の溶着前の展開図である。
【図３】本考案の表紙部材のペンホルダー部の製作工程の拡大図である。（ａ）は溶着前のペンホルダー部の拡大図、（ｂ）はペンホルダー部の断面模式図、（ｃ）は溶着後のペンホルダー部の拡大図を示す。
【図４】従来の手帳カバーの一例を示す図であり、（ａ）平面図を示し、（ｂ）はペンホルダー部の断面模式図を示す。
【考案を実施するための形態】
【００１７】
以下、図面等を参照して、本考案の実施形態について説明する。本考案の表紙部材は、手帳カバーや家計簿カバー、ノートカバー、冊子の表紙等に適用可能であるが、本実施例では手帳カバーに適用した場合の表紙部材の実施形態について説明する。
図１は、本考案による表紙部材（手帳カバー）の実施形態の一例を示す平面図を示す。
図１の表紙部材１０において、基体部１１及び支持片１２ａ，１２ｂは、透明、半透明又は黒色や青色等に着色された樹脂シートを長方形状に形成したものである。これらの樹脂の種類としては、例えばＰＶＣ（ポリ塩化ビニル）、ＰＥ（ポリエチレン）、ＥＶＡ（エチレンビニルアセテート）、ＰＰ（ポリプロピレン）が挙げられる。
支持片１２ａ，１２ｂは、基体部１１の内面の左右両側にそれぞれ設けられている。支持片１２ａ，１２ｂは、基体部１１の背側の１辺のみが開口されるとともに、他の３辺の外縁部は基体部１１の外縁部に高周波ウェルダー等の溶着によって固着されている。
【００１８】
また、ペンホルダー部１３が基体部１１及び支持片１２ｂの外縁部の所定の位置に溶着されている。通常、右手ききが多いので、手帳を開いたときにペンを取り出しやすいように、図１のように平面図右上の外縁部にペンホルダー部１３が設けられ、邪魔にならないように折り目側が手帳カバー内に納まるように配置されるが、これに限らず、溶着される位置や、折り目側が外側に向いていても良い。
【００１９】
さらに、基体部１１の左側には、支持片１２ａにスリット１５が形成されている。スリット１５は、表紙部材１０に紙片状体を収納しておく部分であり、図１中、左側の支持片１２ａにおいて、一部を斜め方向に細長く開口した切り欠きから構成されている。ここで、本考案において紙片状体とは、例えば種々のカード（キャッシュカード、ＩＣカード等）、名刺、領収書又はメモ片等の表紙部材１０に収納可能な比較的厚みの薄い媒体をいう。スリット１５の水平方向の幅は、汎用カードを挿入可能な長さに形成することが好ましい。なお、スリット１５の切り欠き方向は水平でも良いが、本実施形態のように斜めにすることで、挿入された紙片状体を押さえる長さが増加するので、好ましい。
【００２０】
基体部１１の右側には、支持片１２ｂと紙片状体収納部１６の２枚の樹脂シートの積層体からなり、基体部１１の周縁に合わせて２枚の樹脂シートの３辺外縁部が溶着され、かつ紙片状体収納部１６の所定の位置を支持片１２ｂとライン状に溶着することによって、２枚の樹脂シート間にカードＣ等の紙片状体を収納することができる。
【００２１】
次に、ペンホルダー部１３の構造及び製作工程を図２及び図３を用いて説明する。
ペンホルダー部１３は、図２の展開図のように、帯状の樹脂シートの端部にテーパーが設けられた形状であり、対角同士が同じテーパー形状となっている。具体的には、図２の左上と右下のテーパー１３ａが同じ形状であり、逆に、左下と右上のテーパー１３ｂが同じ形状となっている。
【００２２】
また、ペンホルダー部１３の左右には突き当て１３ｃ及び１３ｄが形成されている。さらに、ペンホルダー部１３の中心部には縦方向に棒状の型押し１３ｅが形成されている。型押し１３ｅの端部はペンホルダー部１３の外縁部に達しない程度の長さとなっており、これによってペンホルダー部１３を折り曲げて平坦にしやすくしているのと同時に外縁部まで型押ししていないので強度も確保することができる。型押し１３ｅはペンホルダー部１３の材質が折り曲げやすいもの等、不要の場合は形成しなくとも良い。
【００２３】
なお、図２のうち一点鎖線で描かれている垂直線１３ｆは溶着後の表紙部材１０の外縁部となる線を表し、頂点１４ａ〜１４ｄは溶着後の基体部１１とペンホルダー部１３との頂点（交点）となる。
【００２４】
図３はペンホルダー部１３を溶着する工程の図である。図３（ａ）はペンホルダー部１３を基体部１１に溶着するためにセットした際の図である。図３（ｂ）はペンホルダー部１３部分の断面模式図である。また、図３（ｃ）は基体部１１の外縁部に沿って、ペンホルダー部１３の所定の位置を高周波ウェルダーによって溶着するとともに、不要部分となる突き当て１３ｃ及び１３ｄを溶断分離した図である。
【００２５】
ここで、ペンホルダー部１３の突き当て１３ｃ及び突き当て１３ｄは、ペンホルダー部１３を基体部１１に溶着する際の突き当てガイドの役割を果たすものである。
ペンホルダー部１３は中心部分から折り曲げて溶着されるが、基体部１１にセットする際、突き当て１３ｃと突き当て１３ｄの角部分をぴったりと重ねて折り曲げることにより、図３（ａ）のようにセットした際、図３（ｂ）の断面図のように、重ねられたペンホルダー部１３の樹脂シートと基体部１１の外縁部との交点、つまり頂点１４ａ〜１４ｄが重ならずに確実にセットすることができるという利点がある。
これによって、図３（ｃ）のように溶着する際に、本考案の効果である、重ねられた頂点部分のみの厚さが急激に厚くなって溶着時の加工条件の設定等が非常に困難になるようなことが無く、確実にペンホルダー部１３を溶着することができる。
【００２６】
また、ペンホルダー部１３に設けられたテーパー１３ａ及びテーパー１３ｂは溶着部分がテーパー状になっているのでねじれ等の引張り応力を分散することができるため非常に剥がれにくくなっている。このため、図４のような従来の手帳カバーに設けられたペンホルダー部のような、基体部とペンホルダー部が直角に溶着されている場合に比べ、樹脂シートの厚さを薄くすることができたり、強度の強いシート材を使用する必要が無くなるので、製作コストを削減することができる。
【産業上の利用可能性】
【００２７】
本考案の実施の形態では、表紙部材の一例として、手帳カバーに溶着しやすく剥がれにくいペンホルダー部を設けているが、これに限らず、樹脂製の容器等に本考案のペンホルダー部を設けることもできる。
【符号の説明】
【００２８】
１０    表紙部材
１１    基体部
１２ａ  支持片
１２ｂ  支持片
１３    ペンホルダー部
１３ａ  テーパー
１３ｂ  テーパー
１３ｃ  突き当て
１３ｄ  突き当て
１３ｅ  型押し
１４ａ〜１４ｄ  頂点
１５    スリット
１６    紙片状体収納部
【図１】
0003170275.tif 000003
【図２】
0003170275.tif 000004
【図３】
0003170275.tif 000005
【図４】
0003170275.tif 000006